(57)【要約】【課題】短時間で組立て、分解することができ、低コストの簡易組立式デッキを提供する。【解決手段】複数の根太材１ａで平面視多角形の根太枠１を構成する。予め高さ調整されて金具支持脚で支持された各種連結支持金具２、３、４、５の必要数を設置位置の然るべき個所の近傍に配置し、これら各金具２，３，４，５により複数の根太枠１のコーナー部を相互に連結して支持する。複数の根太枠１のそれぞれに床板ユニット７を着脱自在に装着してロック機構で自動的に固定する構成とする。【選択図】　　　　図１
2004084225.tif 000002
【特許請求の範囲】
【請求項１】
複数本の根太材（１ａ）により平面視多角形の根太枠（１）が形成され、複数個の根太枠（１）を隣接配置してそれらのコーナー部を相互に連結支持する連結支持金具（２・３・４）と、複数の根太枠（１）の最外側の各コーナー部を支持する支持金具（５）と、前記各金具を予め設定した所定高さに調整可能に支持する金具支持脚（６）と、前記複数の根太枠（１）のそれぞれに着脱自在に装着される床板ユニット（７）とを備えたことを特徴とする簡易組立式デッキ。
【請求項２】
前記根太枠（１）のコーナー部は、着脱自在な固定手段（２６・２７）により前記各金具（２・３・４・５）に固定されてなることを特徴とする請求項１に記載の簡易組立式デッキ。
【請求項３】
前記床板ユニット（７）は、前記根太枠（１）内に嵌合し得る、少なくとも２本の台部材（７１）と、これらの台部材（７１）に所定の間隔を隔てて架け渡されて固定され、上記台部材（７１）より外方に突出する長さの複数の板材（７２）とからなることを特徴とする請求項１または２のうちの何れか一つの項に記載の簡易組立式デッキ。
【請求項４】
前記床板ユニット（７）の台部材（７１）に付設され、前記根太枠（１）の内側面に設けたロック穴（８４）に挿脱自在に嵌入し、前記ロック穴（８４）の方向に付勢されてなるロックバー（８１）を備えたロック機構（８）が設けられてなることを特徴とする請求項３に記載の簡易組立式デッキ。
【請求項５】
前記ロック機構（８）のロックバー（８１）は、前記床板ユニット（７）の隣接する板材（７２）の間に形成される隙間から操作し得るように構成されてなることを特徴とする請求項４に記載の簡易組立式デッキ。
【発明の詳細な説明】
【０００１】
【発明の属する技術分野】
本発明は、簡易組立式デッキに係り、より詳しくは、住宅等の屋外または屋内に容易に設置することを可能ならしめるようにした、デッキテラスやデッキテーブル等として使用できる簡易組立式デッキに関する。
【０００２】
【従来の技術】
近年、住宅等の生活空間の有効利用を図るために、ウッドデッキを設置することが多くなっている。このようなウッドデッキを製作する場合、一般に、基礎となる地面に脚材を固定すると共に、各脚材の上部に根太材を固定して土台部分を形成する。次いで、それぞれの根太材に、床板を架け渡し、釘やボルト等で固定している。デッキ面の広さや形状は、建物や庭の状況等によって種々のタイプに形成されている。
【０００３】
上記従来例に係るウッドデッキはそれなりに有用であるが、これを製作する場合には、下記のような問題がある。
（１）設置現場で、木材の切断、穴開け、釘打ち等の作業を行うことが多くなるため、専門の技術者によらなければ、迅速かつ正確な作業を行うことが困難である。
（２）ウッドデッキの完成後にデッキ面の形状、広さを変更し難い。
（３）床板の清掃、張り替え等のデッキの維持、管理に手間がかかる。
上記のような問題点を解決し得るようにしたデッキとしては、例えば図９に示すもので、特開２０００−２７２８９に開示されてなる「連結ユニット式ウッドデッキ」が公知である。以下、上記従来に係る連結ユニット式ウッドデッキの概要を、図９を参照しながら、同公報に記載されている同一名称、並びに同一符号を以て説明する。
【０００４】
即ち、所定の規格面積を有する多角形のデッキユニット１が連結自在に形成されている。多角形のデッキユニットの頂点位置に脚材２が配置され、この脚材２の所定高さ位置に根太材３が固定されている。根太材３の受け台１２には、床板４および縁板５が載置されている。受け台１２の台面には床板４および縁板５の裏面に嵌合可能な連結ピンが併設されている。
【０００５】
この従来例に係る連結ユニット式デッキによれば、上記のとおり、根太材の受け台に床板および縁板を載置してデッキ面を形成するが、受け台に床板および縁板を載置する際、床板および縁板の裏面に連結ピンを嵌合することにより、床板のズレや、落下が防止される。デッキユニットを連結する場合、まず連結方向に所定の間隔をあけて根太材を設ける。次いで、互いに向き合う根太材に床板を架け渡し、両者の連結ピンに床板の裏面を嵌合し、受け台上に載置する。
【０００６】
即ち、この従来例に係る連結ユニット式デッキによれば、デッキユニット毎に床板を架け渡して、連結ピンで止めることで、専門の技術者によるまでもなく、自在に組み合わせることが可能になる。また、デッキの広さおよび形状は、デッキユニットの連結の位置および長さを調整することにより、任意に設定することができる。さらに、デッキの完成後であっても、根太材から床板を取外して簡単にデッキユニットを移動させることができるため、デッキ面の広さおよび形状の変更に要する手間が極めて少なくなる。
【０００７】
【発明が解決しようとする課題】
しかしながら、上記従来例（特開２０００−２７２８９）に係る連結ユニット式デッキでは、現場で各床板を連結ピンによって根太材に固定する施行方法を採用しているため組立、分解作業に手間取り、組立、分解に長時間を要するという問題がある。また、予め根太材に複雑な加工を施す必要があるため、連結ユニット式ウッドデッキが高コストにならざるを得ないという問題がある。
【０００８】
従って、本発明の目的は、短時間の間に組立、分解することができ、しかも低コストの簡易組立式デッキを提供することにある。
【０００９】
【課題を解決するための手段】
本発明は、上記課題を解決するためになされたものであって、請求項１に記載の簡易組立式デッキが採用した構成の特徴とするところは、複数本の根太材１ａにより平面視多角形の根太枠１が形成され、複数個の根太枠１を隣接配置してそれらのコーナー部を相互に連結支持する連結支持金具２・３・４と、複数の根太枠１の最外側の各コーナー部を支持する支持金具５と、前記各金具を予め設定した所定高さに調整可能に支持する金具支持脚６と、前記複数の根太枠１のそれぞれに着脱自在に載置される床板ユニット７とを備えたを備えたところにある。
【００１０】
本発明の請求項２に記載の簡易組立式デッキが採用した構成の特徴とするところは、請求項１に記載の簡易組立式デッキにおいて、前記根太枠１のコーナー部は、着脱自在な固定手段２６・２７により前記各金具２・３・４・５に固定されてなるところにある。
【００１１】
本発明の請求項３に記載の簡易組立式デッキが採用した構成の特徴とするところは、請求項１または２のうちの何れか一つの項に記載の簡易組立式デッキにおいて、前記床板ユニット７は、前記根太枠１内に嵌合し得る、少なくとも２本の台部材７１と、これらの台部材７１に所定の間隔を隔てて架け渡されて固定され、前記台部材７１より外方に突出する長さの複数の板材７２とからなるところにある。
【００１２】
本発明の請求項４記載の簡易組立式デッキが採用した構成の特徴とするところは、請求項３記載の簡易組立式デッキにおいて、前記床板ユニット７の台部材７１に付設され、前記根太枠１の内側面に設けたロック穴８４に挿脱自在に嵌入し、前記ロック穴８４の方向に付勢されてなるロックバー８１を備えたロック機構８が設けられてなるところにある。
【００１３】
本発明の請求項５に記載の簡易組立式デッキが採用した構成の特徴とするところは、請求項４に記載の簡易組立式デッキにおいて、前記ロック機構８のロックバー８１は、前記床板ユニット７の隣接する板材７２の間に形成される隙間から操作し得るように構成されてなるところにある。
【００１４】
【発明の実施の形態】
以下、本発明の一実施の形態に係る簡易組立式デッキの構成を、添付図面を参照しながら、根太材と床板ユニットとが木製である場合を例として説明する。
図１（ａ）は、床板ユニットを省略して示す簡易組立式デッキの平面図、図１（ｂ）は、図１（ａ）を下側から見た側面図、図２（ａ）は、図１（ａ）のＡ部に用いる連結支持金具の平面図、図２（ｂ）は、図１（ａ）を下側から見た側面図である。また、図３（ａ）は、図１（ａ）のＢ部に用いる異形Ｘ型金具の平面図、図３（ｂ）は、図３（ａ）を下側から見た側面図、図４（ａ）は、図１（ａ）のＣ部に用いる連結支持金具の平面図、図４（ｂ）は、図４（ａ）を下側から見た側面図である。また、図５（ａ）は、図１（ａ）のＤ部に用いる支持金具の平面図、図５（ｂ）は、図５（ａ）を下側から見た側面図、図６は、図２（ａ）に示す連結支持金具による支持構造を示す斜視図である。また、図７（ａ）は、床板ユニットの平面図、図７（ｂ）は、図７（ａ）を下側から見た側面図、図７（ｃ）は、図７（ａ）を右側から見た側面図、図８は、ロック機構の構成を示す要部の縦断面図である。
【００１５】
まず、図１（ａ）、（ｂ）を参照しながら、後述する床板ユニットを取外した状態の簡易組立式デッキの構成を説明する。図に示す符号１ａは、断面形状が矩形状に形成された根太材である。４本の根太材１により四角形の根太枠１が形成され、複数組（この実施の形態では５組）の隣接する根太枠１が相互に隣接配置された状態で、これら根太枠１の各コーナー部が後述する３種類の連結支持金具と１種類の支持金具により支えられている。各根太材１ａの長さは同寸法に設定されており、そして各根太枠１は、ある根太材１ａの端面が他の根太材１ａの端部側面に突き合わされるというように配置されて正方形に形成されている。また、各金具のそれぞれは後述する金具支持脚６で支持されている。
【００１６】
前記４種類の金具の１つ目は、図１中のＡ部を連結支持する金具２（以下、単に「Ａ部連結支持金具」という）である。即ち、このＡ部連結支持金具２は、図１及び図２（ａ）（ｂ）に示すように、４組の根太枠１を田の字状に配置して、その十字状中央部（Ａ部）を連結支持するものである。このＡ部連結支持金具２は正方形の受板２１を備え、その受板２１の各コーナー部付近に前記金具支持脚６を取付けるための貫通孔２２を有する。各貫通孔２２の下側にはナット２５が熔接されている。ただし、上記ナット２５は必ずしも熔接しなくて良い（以下の金具において、同じ）。各コーナー近傍部の上面には４個のアングル部材２３が熔接により突設されている。そして４個のアングル部材２３により、４組の根太枠１の十字状中央部の相互に隣接する根太材１ａ同士を挟むように構成されている。また、各アングル部材２３と根太枠１の対応個所には貫通孔２４があけられており、この貫通孔２４に固定手段であるボルト（図６中の符号２６）が挿通され、そのボルト２６を他側のナット（図６中の符号２７）で締結することにより、Ａ部連結支持金具２で４組の根太枠の十字状中央部（Ａ部）を連結支持するように構成されている。この場合、受板２１の中央部に水抜き孔２８をあけておくのが望ましい。このようなＡ部連結支持金具２や後述する各種の連結支持金具を採用することにより、根太材１ａが木製であっても、複数回の組立、分解に耐えることができる。
【００１７】
前記４種類の金具の２つ目は、３組の根太枠１を隣接配置して図１中の異型十字中央部（Ｂ部）を連結支持する金具３（以下、単に「Ｂ部連結支持金具」という）である。このＢ部連結金具３は図３（ａ）（ｂ）に示すように、正方形のうちの一つのコーナー部を含む１／４が切り欠かれた形状の受板３１を備え、その受板３１の３つコーナー部付近に前記金具支持脚６を取付けるための貫通孔３２を有する。各貫通孔３２の下側にはナット２５が熔接されている。この受板３１の各コーナー近傍部の上面にはそれぞれアングル部材３３が熔接により突設されいる。そして３個のアングル部材３３により、３組の根太枠１の異型十字部の相互に隣接する根太材１ａ同士を挟むように構成されている。また、各アングル部材３３と根太枠１の対応個所には貫通孔３４があけられており、この貫通孔３４に固定手段である図示しないボルトが挿通され、そのボルトを他側のナットで締結することにより、Ｂ部連結金具３で３組の根太枠１の異型十字部を連結支持するように構成されている。
【００１８】
前記４種類の金具の３つ目は、２組の根太枠１を隣接配置して図１中のＴ字状部（Ｃ部）を連結支持する金具４（以下、単に「Ｃ部連結支持金具」という）である。このＣ部連結支持金具４は、図４（ａ）（ｂ）に示すように、正方形のうち１／２が切り欠かれた形状の受板４１を備え、その受板４１の２つコーナー部付近に前記金具支持脚６を取付けるための貫通孔４２を有する。各貫通孔４２の下側にはナット２５が熔接されている。この受板４１の各コーナー近傍部の上面にはそれぞれアングル部材４３が熔接により突設されている。そして２個のアングル部材４３により、２組の根太枠１のＴ字部の相互に隣接する根太材１ａ同士を挟むように構成されている。また、各アングル部材３３と根太枠１の対応個所には貫通孔３４があけられており、この貫通孔３４に固定手段である図示しないボルトが挿通され、そのボルトを他側のナットで締結することにより、Ｃ部連結支持金具４で２組の根太枠１のＴ字部を連結支持するように構成されている。
【００１９】
前記４種類の金具の４つ目は、図１中に示す各根太枠１の最外側コーナー部（Ｄ部）を支持する金具５（以下「Ｄ部支持金具」という）である。このＤ部支持金具５は図５（ａ）（ｂ）に示すように、前記正方形の１／４の大きさに相当する受板５１を備え、その受板５１の１つコーナー部付近に前記金具支持脚６を取付けるための貫通孔５２を有する。その貫通孔５２の下側にはナット２５が熔接されている。この受板５１の当該コーナー近傍部の上面には一つのアングル部材５３が熔接により突設されている。そしてそのアングル部材５３により、１組の根太枠１のコーナー部の根太材１ａを固定支持するように構成されている。また、アングル部材５３と根太枠１の対応個所には貫通孔５４があけられており、この貫通孔５４に固定手段である図示しないボルトが挿通され、そのボルトを他側のナットで締結することにより、Ｄ部支持金具５で根太枠のコーナー部を支持するように構成されている。
【００２０】
前記Ａ部連結支持金具２を支持する四つの金具支持脚６は、図６に示すように、ねじロッドで構成され、設置面に置かれる台板６１上に立設される。それらのねじロッド６は、上記Ａ部連結支持金具２の受板２１の各コーナー部付近に熔接で固設されたナット２５にその上端ねじ部をねじ込んで、受板２１上に突出した各ねじロッド６の先端のねじ部にロックナット６３を螺着して固定する。この金具支持脚６によれば、固設ナット２５に対してねじロッド６を進退調節して台板６１と受板２１の間の距離を設定することにより、受板２１の高さを自在に調整することができる。なを、図６中の符号６２は、各ねじロッド６の基端部に装着されたゴムブッシュである。
【００２１】
なお、Ｂ部連結支持金具３、Ｃ部連結支持金具４、およびＤ部連結支持金具５のそれぞれを支持する金具支持脚６は、ねじロッドの本数が３本、２本、および１本になるだけである。つまり、基本的な構成部品は、上記金具支持脚６の場合と同様であるから、これらの各金具３、４、５を支持する金具支持脚の構成に係る説明は省略する。
【００２２】
前記床板ユニット７は、図７（ａ），（ｂ），（ｃ）に示すように、矩形断面をしたロッド状の２本の台部材７１を備え、これらの台部材７１上に複数の板材７２を所定の間隔で固定配置して構成される。この床板ユニット７は、前記各根太枠１に装着される。即ち、２本の台部材７１の間隔は、根太枠１を構成する平行な２本の相対する根太材１ａの内側間隔より若干狭く設定され、またその長さは、平行な２本の相対する根太材１ａの内側間隔より若干短く設定されている。これら板材７２は台部材７１と直交する向きに、かつ台部材７１の長手方向に所定の間隔、例えば後述するロック機構８を操作する図示しない操作用具を挿入し得る隙間を持って架け渡されて固定されており、それらの両端は前記２本の台部材７１より外方に突出している。勿論、これら板材７２の長さは、２本の相対する根太材１ａの外側間隔より若干短く設定されている。
【００２３】
前記床板ユニット７の寸法を上記のように設定することにより、隣接する床板ユニット７との間に所定の隙間を形成する状態で、図１（ａ）に示す根太枠１内に上記台部材７１がしっくり嵌合した状態で組立てることができ、そして床板ユニット７の水平方向の移動を防止することができる。なお、この実施形態では、台部材７１は２本であるが、３本であっても良い。
【００２４】
前記床板ユニット７の台部材７１と根太枠１との間には、床板ユニット７を根太枠１に着脱可能に固定する２対（図７（ａ）において２点鎖線の楕円形状で示している位置）にロック機構８が設けられている。このロック機構８は、図８に示すように、上記台部材７１にあけた貫通孔７３内にその中間部が収容されたロックバー８１と、上記貫通孔７３内にあってロックバー８１を根太枠１の方向に付勢する圧縮コイルばね８２と、上記貫通孔７３の両端にあってロックバー８１を進退可能にガイドする合成樹脂製の筒状ガイド部材８５・８６と、上記筒状ガイド部材８５・８６の脱落を防止するコの字状の脱落防止金具８８と、根太枠１の側面に開けられた穴内に圧入または打込まれ、ロック穴８４を備えた合成樹脂製ロック用筒部材８３とから構成される。そして上記圧縮コイルばね８２の付勢力でロックバー８１の先端部が、ロック用筒部材８３のロック穴８４内に嵌入してロック機能を果たし、隣接する板材７２同士の間の所定の隙間に位置し、ロックバー８１の上方に折り曲げられた基端側部分を、図示しない解除操作具で当該隙間から解除操作することにより、ロック解除するように構成されている。なお、図８中の符号８７はロックバー８１に固設された鍔状のばね受け具，符号８９は根太枠１の上面に敷設された弾性シート材を示す。
【００２５】
ところで、本実施形態では、上記のとおり、床板ユニット７毎に２対（合計４個）のロック機構８が設けられているが、中央位置に１対設けられていても良いし、また設けられていなくて良い。つまり、このロック機構８が設けられていなくても、台部材７１の働きにより床板ユニット７が水平方向に移動するようなことがなく、デッキとしての初期の目的を達成することができるからである。しかしながら、床板ユニット７のがたつきを防止する点において、本実施の形態のようにロック機構８が設けられている方が好ましい。
【００２６】
以下、上記実施の形態に係る簡易組立式デッキの組立方法を説明する。
先ず、簡易組立式デッキの形状に応じて、予め金具支持脚６により支持され、所定高さに調整されたＡ部連結支持金具２、Ｂ部連結支持金具３，Ｃ部連結支持金具４、およびＤ部支持金具５の必要数を決め、これら金具を簡易組立式デッキの設置位置の然るべき位置の近傍に配置する。次いで、正方形の根太枠１が組めるように、各金具に各根太枠１のコーナー部を支持させると共に、そのコーナー部をボルトにより然るべきアングル部材に固定する。なお、前記金具を配設する設置場所の平旦度によっては、金具の高さ調整を行う必要が生じるが、各金具に固設したナット２５へのねじロッド６のねじ込み、ねじ戻しと、ロックナット６３の締緩だけで金具の高さの調整がすむので極めて容易に高さ調整作業を実施することができる。
【００２７】
このようにして、目標とする形状の簡易組立式デッキを形成し得る根太枠の組立が終了すると、図示しないロック操作具によりロック機構８のロックバー８１を解除方向に移動させて、少なくともロックバー８１の先端を台部材７１の外側面と面一にして、床板ユニット７の台部材７１を、各金具に支持された４本の根太材１の枠体に嵌込むと共に当該操作具を離す。すると、ロックバー８１により床板ユニット７が根太枠１に固定される。この繰り返しによる床板ユニット７の根太枠１への取付けが終了すると、簡易組立式デッキが完成する。なお、この簡易組立式デッキの分解は、上記手順と逆の手順で行われる。
【００２８】
本実施の形態では、例えば図１（ａ）に示すような平面形状に形成されるが、Ａ部連結支持金具２、Ｂ部連結支持金具３、Ｃ部連結支持金具４，Ｄ部支持金具５の数量を設定し、かつ適宜選択することにより、種々の平面形状のデッキを組立てることができる。例えば、平面形状が矩形型のもの、階段型のもの、凹凸型のもの、十字型のもの、ジグザグ型のもの等を組立てることができる。また、全ての床板ユニット７の板材７２の向きが同方行になるように床板ユニット７を組立てても良いし、隣接する床板ユニット７の板材７２が交互に直交する向きに床板ユニット７を組立ても良い。
【００２９】
ところで、組立済みの簡易組立式デッキの形状を変更する必要が生じる場合がある。増設する必要が生じた場合には、その隣接する部分の床板ユニット７を取外し、例えばＤ部支持金具の位置を変え、Ｃ部連結支持金具を追加するというように、金具の位置を変更すると共に新たに金具を追加して組立てれば良い。また、１部を削減する場合には、その隣接する部分の床板ユニット７を取外し、金具を変更して組立てれば良い。
【００３０】
本実施の形態に係る簡易組立式デッキの場合には、上記のとおり、設置場所の状況によっては若干高さを調整する必要が生じる場合がある。しかしながら、予め高さ調整された金具に根太枠の各コーナー部を載置すると共に固定し、根太枠内に台部材７１が嵌まり込むように床板ユニット７を装着すれば、床板ユニット７がロック機構８により自動的に根太枠に固定されて、簡易組立式デッキの組立が終了する。従って、本実施の形態に係る簡易組立式デッキによれば、従来例のように、各床板を連結ピンにより根太材に固定する必要がないから、従来例よりも遥に短時間のうちに組立（分解）作業を終了することができるという、組立（分解）作業の容易化効果がある。
【００３１】
また、根太材１ａの横断面形状は、上記のとおり、矩形状であって、極めてシンプルな形状に構成されている。そして、根太枠１には、ロック機構８のロックバー８１が挿脱されるロック穴８４を有するロック用部材８３を圧入、または打込む穴と、コーナー部を連結支持金具等に固定するための孔とが加工されているだけである。従って、従来例のように、根太材１ａに複雑な加工が施されていないから、簡易組立式デッキのコスト低減に大いに寄与することができる。さらに、上記のとおり、床板ユニット７は着脱自在であるから、従来例よりも容易に清掃することができる。
【００３２】
以上の実施の形態においては、簡易組立式デッキの根太材、および床板ユニットが何れも木製であって、かつ各根太枠が正方形である場合を例として説明したが、簡易組立式デッキの根太枠、および床板ユニットは、例えばプラスチック製、アルミニウム合金等の軽合金製であっても良いし、根太枠及び床板ユニットが平面視で三角形、長方形、五角形、六角形等の多角形であっても良く、上記実施の形態に限定されるものではない。
つまり、上記実施の形態に係る簡易組立式デッキは一実施形態に過ぎないから、本発明の技術的思想を逸脱しない範囲内において、根太枠及び床板ユニットの平面視の多角形状に対応して、コーナー部連結支持金具やそのアングル部材の数と配置、金具支持脚の本数等、適宜に設計変更可能である。
【００３３】
【発明の効果】
以上詳述したように、本発明の請求項１乃至５に係る簡易組立式デッキによれば、設置場所の状況によっては若干高さ調整する必要が生じる場合があるが、予め高さ調整された金具に根太枠のコーナー部を載置して固定し、根太枠に台部材が嵌まり込むように床板ユニットを組立てれば、床板ユニットがロック機構により自動的に根太材の枠体に固定されて、簡易組立式デッキの組立が終了する。従って、従来例のように、各床板を連結ピンにより根太材に固定する必要がないから、従来例よりも遥に短時間のうちに組立（分解）作業を終了することができるという、組立（分解）作業の容易化効果がある。
【００３４】
また、本発明の請求項１乃至５に係る簡易組立式デッキによれば、根太枠を形成する根太材の横断面形状を矩形状に形成にした場合には、極めてシンプルな形状に構成されている。そして、根太枠には、ロック機構のロックバーが挿脱されるロック穴と、コーナー部を金具に固定するための固定手段が設けられているだけである。従って、従来例に係るデッキのように、根太材に複雑な加工が施されていないから、簡易組立式デッキのコスト低減に大いに寄与することができる。さらに、床板ユニットは着脱自在であるから、従来例よりも容易に清掃することができる。
【図面の簡単な説明】
【図１】本発明の一実施形態に係り、図１（ａ）は床板ユニットを省略して示す簡易組立式デッキの平面図、図１（ｂ）は図１（ａ）を下側から見た側面図である。
【図２】本発明の一実施形態に係り、図２（ａ）は図１（ａ）のＡ部に用いるＡ部連結支持金具の平面図、図２（ｂ）は図１（ａ）を下側から見た側面図である。
【図３】本発明の一実施形態に係り、図３（ａ）は図１（ａ）のＢ部に用いるＢ部連結支持金具の平面図、図３（ｂ）は図３（ａ）を下側から見た側面図である。
【図４】本発明の一実施形態に係り、図４（ａ）は図１（ａ）のＣ部に用いるＣ部連結支持金具の平面図、図４（ｂ）は図４（ａ）を下側から見た側面図である。
【図５】本発明の一実施形態に係り、図５（ａ）は図１（ａ）のＤ部に用いるＤ部支持金具の平面図、図５（ｂ）は図５（ａ）を下側から見た側面図である。
【図６】本発明の一実施形態に係り、図２（ａ）に示すＡ部連結金具による支持構造を示す斜視図である。
【図７】本発明の一実施形態に係り、図７（ａ）は床板ユニットの平面図、図７（ｂ）は図７（ａ）を下側から見た側面図、図７（ｃ）は図７（ａ）を右側から見た側面図である。
【図８】本発明の一実施形態に係り、ロック機構の要部縦断面図である。
【図９】従来例に係る連結ユニット式ウッドデッキの斜視図である。
【符号の説明】
１…根太枠、１ａ…根太材、２…Ａ部連結支持金具、２１…受板、２２…貫通孔、２３…アングル部材、２４…貫通孔、２５…ナット、３…Ｂ部連結支持金具、３１…受板、３２…貫通孔、３３…アングル部材、３４…貫通孔、４…Ｃ部連結支持金具、４１…受板、４２…貫通孔、４３…アングル部材、４４…貫通孔、５…Ｄ部支持金具、５１…受板、５２…貫通孔、５３…アングル部材、５４…貫通孔、６…金具支持脚（ねじロッド）、６１…台板、７…床板ユニット、７１…台部材、７２…板材、８…ロック機構、８１…ロックバー、８２…圧縮コイルばね、８３…ロック用部材、８４…ロック穴。
【図１】
2004084225.tif 000003
【図２】
2004084225.tif 000004
【図３】
2004084225.tif 000005
【図４】
2004084225.tif 000006
【図５】
2004084225.tif 000007
【図６】
2004084225.tif 000008
【図７】
2004084225.tif 000009
【図８】
2004084225.tif 000010
【図９】
2004084225.tif 000011